(57)【要約】【課題】透光性材料で構成されたバンド駒を用いても、バンド駒の内部での連結構造を外部から視認し難くし、意匠性を向上させることが可能であり、強度の低下や摩擦による粉末の発生も抑制可能な腕時計バンド、腕時計及び腕時計バンドの製造方法を提供する。【解決手段】内側駒と外側駒から成るバンド駒を複数組み合わせた腕時計バンドであって、内側駒の外側面には内側軸受凹部が形成され、外側駒の内側面には外側軸受凹部が形成されており、内側軸受凹部および外側軸受凹部が略半球状の凹部であり、第１のバンド駒における第１の内側軸受凹部と、第２のバンド駒における第２の外側軸受凹部が対向して配置されるとともに、略球形状の軸受部材が第１の内側軸受凹部と第２の外側軸受凹部で挟持され、内側駒と外側駒及び軸受部材が透光性材料からなる。【選択図】図９
2019076431.tif 000002
【特許請求の範囲】
【請求項１】
内側駒と外側駒から成るバンド駒を複数組み合わせた腕時計バンドであって、
前記内側駒の外側面には内側軸受凹部が形成されており、
前記外側駒の内側面には外側軸受凹部が形成されており、
前記内側軸受凹部および前記外側軸受凹部が略半球状の凹部であり、
第１のバンド駒における第１の内側軸受凹部と、第２のバンド駒における第２の外側軸受凹部が対向して配置されるとともに、略球形状の軸受部材が前記第１の内側軸受凹部と前記第２の外側軸受凹部で挟持され、
前記内側駒と前記外側駒及び前記軸受部材が透光性材料からなることを特徴とする腕時計バンド。
【請求項２】
請求項１に記載の腕時計バンドであって、
前記軸受部材、前記内側駒および／または前記外側駒を構成する材料が、サファイア、ルビー、スピネル、ガーネット、アメジスト、アクアマリン、水晶、ダイヤモンド、エメラルド、アレキサンドライト、ペリドット、トパーズ、キュービックジルコニアの何れかから選択されたことを特徴とする腕時計バンド。
【請求項３】
請求項１または２に記載の腕時計バンドであって、
前記内側駒および／または前記外側駒は、前記軸受部材と同一の材料で構成されていることを特徴とする腕時計バンド。
【請求項４】
請求項１から３の何れか一つに記載の腕時計バンドであって、
一対の前記バンド駒を有し、左側に位置する左側バンド駒と右側に位置する右側バンド駒とが各々の前記内側駒で連結されていることを特徴とする腕時計バンド。
【請求項５】
請求項４に記載の腕時計バンドであって、
前記左側バンド駒と前記右側バンド駒の前記内側駒同士が固定されていることを特徴とする腕時計バンド。
【請求項６】
請求項４または５に記載の腕時計バンドであって、
前記左側バンド駒と前記右側バンド駒とで、材料または表面処理が互いに異なることを特徴とする腕時計バンド。
【請求項７】
請求項４または５に記載の腕時計バンドであって、
一対の前記左側バンド駒と前記右側バンド駒でバンド駒ブロックが構成され、
前記バンド駒ブロックで、前記左側バンド駒の内側駒と前記右側バンド駒の外側駒とは材料または表面処理が同一であり、前記左側バンド駒の外側駒および前記右側バンド駒の内側駒は前記左側バンド駒の内側駒と材料または表面処理が異なっていることを特徴とする腕時計バンド。
【請求項８】
請求項１から７の何れか一つに記載の腕時計バンドを備えたことを特徴とする腕時計。
【請求項９】
内側駒と外側駒から成るバンド駒を形成し、
前記内側駒の外側面に内側軸受凹部を形成し、
前記外側駒の内側面に外側軸受凹部を形成し、
前記内側軸受凹部および前記外側軸受凹部を略半球状の凹部とし、
第１のバンド駒における第１の内側軸受凹部と、第２のバンド駒における第２の外側軸受凹部を対向させ、前記第１の内側軸受凹部と前記第２の外側軸受凹部で略球形状の軸受部材を挟持させ、
前記内側駒と前記外側駒及び前記軸受部材を透光性材料で形成することを特徴とする腕時計バンドの製造方法。
【請求項１０】
請求項９に記載の腕時計バンドの製造方法であって、
左側バンド駒と右側バンド駒を用意し、
前記左側バンド駒を左側に位置させ、前記右側バンド駒を右側に位置させ、前記左側バンド駒と前記右側バンド駒をそれぞれ前記内側駒で連結することを特徴とする腕時計バンドの製造方法。
【請求項１１】
請求項９または１０に記載の腕時計バンドの製造方法であって、
前記左側バンド駒と前記右側バンド駒の前記内側駒同士を固定することを特徴とする腕時計バンドの製造方法。
【発明の詳細な説明】
【技術分野】
【０００１】
本発明は、腕時計バンド、腕時計及び腕時計バンドの製造方法に関する。
【背景技術】
【０００２】
複数のバンド駒を隣接させ、それぞれのバンド駒を連結ピンで連結してバンド駒ブロックを構成し、そのバンド駒ブロックを長手方向に配置して構成された腕時計バンドが知られている。また、腕時計バンドの側面や裏面から連結ピンが露出しないように隠蔽して、意匠性を向上させた腕時計バンドも提案されている（例えば特許文献１，２を参照）。
【０００３】
また、腕時計の意匠性を高めるために、腕時計の外装と腕時計バンドの材料を統一することや、様々な材料を用いることが要請される場合がある。特に、高級腕時計の分野では、従来の腕時計バンドには用いられていなかった透光性材料を用いることで極めて高い意匠性を実現するという要望があった。
【先行技術文献】
【特許文献】
【０００４】
【特許文献１】国際公開第２０１７／０７３７０７号
【特許文献２】実開昭６４?０２８１１２号公報
【発明の概要】
【発明が解決しようとする課題】
【０００５】
しかし特許文献１，２に記載された従来の腕時計バンドでは、バンド駒の表面や側面からの連結ピンの露出は防止できるが、バンド駒を透光性材料で形成した場合にはバンド駒の内部まで異なる材料のピンが視認できてしまう。通常、腕時計バンドの連結ピンは剛性や耐摩耗性の観点から金属材料で構成されている。従って、バンド駒の内部に挿入されている連結ピンが視認できると、例えば図１７及び図１８に示すようにバンド駒ブロック100の幅方向に亘って金属材料の連結ピン101が見えてしまい、意匠性が著しく低下するという問題があった。なお、図１７及び図１８中の引き出し番号102は腕時計ケースを、103は連結ピン101挿入用の貫通孔をそれぞれ示す。
【０００６】
更に、貫通孔103を幅方向に亘って形成すると、バンド駒ブロック100の強度の低下を招くとの問題もあった。
【０００７】
また、金属材料の連結ピンで透光性材料のバンド駒を連結すると、例えばバンド駒の透光性材料が金属よりも硬い材料で形成されている場合、バンド駒と連結ピンとの摩擦で連結ピンが削れて粉末が生じる。その粉末が貫通孔103内部に蓄積又は外部に排出されると腕時計バンドの一部に汚れが生じてしまう。又は、バンド駒内部の粉末が腕時計バンドの外観上から視認されるなどと云った不具合が生じる。
【０００８】
そこで本発明は、上記従来の問題点に鑑みてなされたものであり、透光性材料で構成されたバンド駒を用いても、バンド駒の内部での連結構造を外部から視認し難くし、意匠性を向上させることが可能であり、強度の低下や摩擦による粉末の発生も抑制可能な腕時計バンド、腕時計及び腕時計バンドの製造方法を提供することを目的とする。
【課題を解決するための手段】
【０００９】
上記課題を解決するために、本発明の腕時計バンドは、内側駒と外側駒から成るバンド駒を複数組み合わせた腕時計バンドであって、内側駒の外側面には内側軸受凹部が形成されており、外側駒の内側面には外側軸受凹部が形成されており、内側軸受凹部および外側軸受凹部が略半球状の凹部であり、第１のバンド駒における第１の内側軸受凹部と、第２のバンド駒における第２の外側軸受凹部が対向して配置されるとともに、略球形状の軸受部材が第１の内側軸受凹部と第２の外側軸受凹部で挟持され、内側駒と外側駒及び軸受部材が透光性材料からなることを特徴とする。
【００１０】
また、上記課題を解決するために、本発明の腕時計は、上記記載の腕時計バンドを備えたことを特徴とする。
【００１１】
また、上記課題を解決するために、本発明の腕時計バンドの製造方法は、内側駒と外側駒から成るバンド駒を形成し、内側駒の外側面に内側軸受凹部を形成し、外側駒の内側面に外側軸受凹部を形成し、内側軸受凹部および外側軸受凹部を略半球状の凹部とし、第１のバンド駒における第１の内側軸受凹部と、第２のバンド駒における第２の外側軸受凹部を対向させ、第１の内側軸受凹部と第２の外側軸受凹部で略球形状の軸受部材を挟持させ、内側駒と外側駒及び軸受部材を透光性材料で形成することを特徴とする。
【発明の効果】
【００１２】
本発明によれば、透光性材料で構成されたバンド駒を用いても、バンド駒内部の軸受部材及び軸受凹部を外部から視認し難くし、意匠性を向上させることが可能な腕時計バンド、腕時計及び腕時計バンドの製造方法を提供することが可能になる。
【００１３】
更に、バンド駒と軸受部材を共に透光性材料で形成する事により、軸受凹部を腕時計バンドの外部から視認し難くして、意匠性を向上させる事が出来る。又は、略球形状である軸受部材をバンド駒と異なる透光性材料で作製する事により、バンド駒に対する軸受部材の色を強調して腕時計バンドの意匠性を向上させる事も可能である。
【００１４】
更に、軸受部材を略球形状に成形すると共に、軸受凹部を略半球状に成形する事で、軸受部材と軸受凹部との接触が点接触に限定されてバンド駒と軸受部材との摩擦が抑制される。従って、互いの摺動による摩耗が抑制されて粉末の発生も抑制可能となり、腕時計バンドの汚れも抑制出来る。
【００１５】
また軸受凹部のサイズを、腕時計バンドのバンド駒ブロックの幅方向に対して小さく形成出来るので、バンド駒ブロックの強度の低下を抑制する事も出来る。
【図面の簡単な説明】
【００１６】
【図１】第１実施形態の腕時計バンドの全体を模式的に示す平面図である。
【図２】第１実施形態の腕時計バンドの全体を模式的に示す斜視図である。
【図３】（ａ）図１中の円Ａ部分の拡大部分断面図である。（ｂ）軸受部材が、内側駒の内側軸受凹部と外側駒の外側軸受凹部で挟持される状態を模式的に示す拡大部分断面図である。
【図４】第１実施形態における腕時計バンドを構成するバンド駒ブロックを模式的に示す斜視図である。
【図５】第１実施形態における左側バンド駒を模式的に示す斜視図である。
【図６】第１実施形態における右側バンド駒を模式的に示す斜視図である。
【図７】第１実施形態において、既存のバンド駒ブロックに隣接して、新たなバンド駒ブロックを追加する方法を模式的に示す分解斜視図である。
【図８】第１実施形態において、左側バンド駒と右側バンド駒を連結して新たなバンド駒ブロックを構成する方法を模式的に示す斜視図である。
【図９】第１実施形態において、左側バンド駒と右側バンド駒を連結して新たなバンド駒ブロックを構成した状態を示す斜視図である。
【図１０】左側バンド駒及び右側バンド駒の各溝と各係止片の嵌合を模式的に示す説明図であり、図１０（ａ）は嵌合前を示し、図１０（ｂ）は嵌合後を示している。
【図１１】第２実施形態における左側バンド駒と右側バンド駒で材料又は表面処理を異ならせた一例の、腕時計バンドの全体を模式的に示す平面図である。
【図１２】第２実施形態における左側バンド駒と右側バンド駒で材料又は表面処理を異ならせた他の例の、腕時計バンドの全体を模式的に示す平面図である。
【図１３】第２実施形態における、左側バンド駒の内側駒と右側バンド駒の外側駒の材料または表面処理が各々のバンド駒ブロックで同一であると共に、各々のバンド駒ブロックで左側バンド駒の外側駒および右側バンド駒の内側駒が、左側バンド駒３の内側駒と材料または表面処理が異なっている場合の腕時計バンドを示す平面図である。
【図１４】（ａ）変更形態に係る軸受部材と、内側軸受凹部及び外側軸受部分の拡大部分断面図である。（ｂ）軸受部材が、図１４（ａ）の内側駒の内側軸受凹部と外側駒の外側軸受凹部で挟持される状態を模式的に示す拡大部分断面図である。
【図１５】（ａ）更に他の変更形態に係る軸受部材と、内側軸受凹部及び外側軸受部分の拡大部分断面図である。（ｂ）軸受部材が、図１５（ａ）の内側駒の内側軸受凹部と外側駒の外側軸受凹部で挟持される状態を模式的に示す拡大部分断面図である。
【図１６】更に他の形態において、既存のバンド駒ブロックに隣接して、新たなバンド駒ブロックを追加する方法を模式的に示す分解斜視図である。
【図１７】従来の腕時計バンドの全体を模式的に示す平面図である。
【図１８】従来の腕時計バンドの全体を模式的に示す斜視図である。
【図１９】本発明に係る腕時計バンドの、更に他の変更実施形態を模式的に示す平面図である。
【発明を実施するための形態】
【００１７】
（第１実施形態）
【００１８】
以下、本発明の第１の実施の形態について、図面を参照して詳細に説明する。各図面に示される同一または同等の構成要素、部材、処理には、同一の符号を付すものとし、適宜重複した説明は省略する。図１は、本実施形態の腕時計バンド１の全体を模式的に示す斜視図である。
【００１９】
腕時計バンド１は図１及び図２に示すように、一方側がムーブメントと文字盤などを組み込んだ腕時計ケース１０に連結され、腕時計バンド１の他方側が図示しない止め具（バックル）に連結される。本発明において、腕時計バンド１の長さ方向とは腕時計バンド１が伸長する方向であり、単体のバンド駒ブロック２が、複数（２つ以上）互いに連結する方向でもある。腕時計バンド１の長さ方向に直交する方向を幅方向とする。
【００２０】
図４は、本実施形態における腕時計バンド１を構成する単体のバンド駒ブロック２を模式的に示す斜視図である。図２に示すように１つのバンド駒ブロック２は、左側バンド駒３と右側バンド駒４とが一対に配置され、幅方向の略中央で連結又は接着されることで構成されている。左側バンド駒３と右側バンド駒４は、それぞれ可視光を透過可能な透光性材料で構成されている。ここで透光性材料とは、可視光の少なくとも一部を透過可能な材料であることを示し、透過した可視光の強度が所定割合で低下する場合も含んでいる。
【００２１】
透光性材料としては、例えばサファイア、ルビー（ピンクサファイア）、スピネル、ガーネット、アメジスト、アクアマリン、水晶、ダイヤモンド、エメラルド、アレキサンドライト、ペリドット、トパーズ等の宝石類が挙げられる。また、キュービックジルコニアを用いても良い。これらの材料を用いることで、宝飾用途としての腕時計バンド１の高級感や意匠性を飛躍的に高めることができる。
【００２２】
サファイアは、無色透明、または鉄やチタンを含有した青色でも良い。ルビーは、ピンク色（酸化クロムで、0.04〜0.08重量％混入した結果、ピンク色の発色となった色）や、酸化チタン添加による、オレンジ色が混ざった赤色の物でも良い。スピネルは、青、赤、黄、緑など何色でも良い。ガーネットは、無色透明、黄、褐色、赤、緑、黒などでも良い。アクアマリンは、無色透明又はスカイブルーでも良い。
【００２３】
サファイア、ルビー、スピネルを透光性材料として用いる場合には、モース硬度が比較的高く摩耗による粉末の発生を抑制できる為好ましい。また、強度と耐久性の高さから単結晶のものを用いることが好ましく、鏡面研磨加工後の光沢性付与による装飾性確保の点から、結晶粒界の無い単結晶がより好ましい。サファイアやルビーはＥＦＧ法（Ｅｄｇｅ−ｄｅｆｉｎｅｄ．  Ｆｉｌｍ−ｆｅｄ  Ｇｒｏｗｔｈ）で単結晶を育成でき、引き上げた結晶の厚みを１つのバンド駒の厚みとして切り出すことができる。サファイアやルビーの単結晶では、ａ面の研磨レートが大きく加工性が良好であるため、ａ面を主面としてＥＦＧ法で結晶粒界の無い単結晶を得ることが最も好ましい。スピネルはベルヌーイ法を用いて単結晶を形成できる。
【００２４】
以上の各種材料で左側バンド駒３および右側バンド駒４を作製した後、内側駒３ａ、４ａと外側駒３ｂ、４ｂの各表面に研削及び研磨加工を施して鏡面加工を行い、各表面に光沢を出す。鏡面加工により、各表面の表面粗さをＲａ＝０．１μｍ以下且つＲｚ＝０．４μｍ以下に仕上げることで、装飾部材としての光沢が引き出され、腕時計としてより一層の高級感と美的満足感が得られる。
【００２５】
図５は本実施形態における左側バンド駒３を模式的に示す斜視図であり、図６は右側バンド駒４を模式的に示す斜視図である。図５，６に示すように、左側バンド駒３における内側駒３ａには、外側駒３ｂとは反対側の下面に、凹状の溝３ｅ１と凸状の係止片３ｅ２が一体に形成されている。また、右側バンド駒４における内側駒４ａには、外側駒４ｂとは反対側の側面から延伸するように、凹状の溝４ｅ１と凸状の係止片４ｅ２が一体に形成されている。凹状の溝３ｅ１，４ｅ１の幅や深さ及び形成位置は、それぞれ係止片４ｅ２，３ｅ２の幅や高さ及び形成位置に対応している。
【００２６】
左側バンド駒３は、内側駒３ａと外側駒３ｂとが幅方向において並んでおり、長さ方向において互いにずれた形状で一体に成形される事で一体化された部材である。内側駒３ａの外側面には内側軸受凹部３ｃが形成されており、外側駒３ｂの内側面には外側軸受凹部３ｄが形成されている。同様に右側バンド駒４は、内側駒４ａと外側駒４ｂとが幅方向において並んでおり、長さ方向において互いにずれた形状で一体に成形される事で一体化された部材である。内側駒４ａの外側面には内側軸受凹部４ｃが形成されており、外側駒４ｂの内側面には外側軸受凹部４ｄが形成されている。更に、左側バンド駒３と右側バンド駒４とは同一の材料で構成されており、内側駒３ａ，４ａと外側駒３ｂ，４ｂの表面処理も同一とする。
【００２７】
内側軸受凹部３ｃ，４ｃおよび外側軸受凹部３ｄ，４ｄは、内側駒３ａ，４ａの外側側面と外側駒３ｂ，４ｂの内側側面の一部を削って形成された非貫通の凹部であり、それぞれ同一直径の略半球状に形成されている。なお、内側軸受凹部３ｃ，４ｃおよび外側軸受凹部３ｄ，４ｄの各形状を表す略半球状とは、全体が真円の半球形状か、又は曲面が一部に形成された形状を指すものとする。図１と図２に示したようにバンド駒ブロック２は長さ方向に複数隣接して配置され、隣り合うバンド駒ブロック２においては内側軸受凹部３ｃ，４ｃが外側軸受凹部３ｄ，４ｄに対向して配置されている。
【００２８】
内側軸受凹部３ｃ，４ｃ、外側軸受凹部３ｄ，４ｄ、凹状の溝３ｅ１，４ｅ１および係止片３ｅ２，４ｅ２の形成や表面処理は、公知の加工技術を用いることができる。例えば透光性材料として宝飾材料であるサファイア、ルビー、スピネル、ガーネット、アメジスト、アクアマリン、水晶、ダイヤモンド、エメラルド、アレキサンドライト、ペリドット、トパーズ、キュービックジルコニア等を用いる場合にはこれらの加工研磨技術を用いる。具体的な加工技術としては、各形状の切り出し法には例えばダイヤモンドホイールによる切り出し法を用いれば良い。また表面処理法には、ダイヤモンドパウダーによる鏡面研磨加工法を用いれば良い。
【００２９】
このように、内側駒３ａ、４ａと外側駒３ｂ、４ｂを、それぞれ一体成形で一体化して左側バンド駒３と右側バンド駒４を形成することにより、内側駒３ａ、４ａと外側駒３ｂ、４ｂとの間で固定部品や固定箇所が不要となる。従って、部品点数や固定箇所が削減可能となり、経年劣化を招くおそれも減少出来ると共に、内側駒３ａ、４ａと外側駒３ｂ、４ｂを固定する工程も削減され、腕時計バンド１の量産性の向上と低コスト化が可能となる。
【００３０】
次に、腕時計バンド１の組み立てに関して、図７〜図１０を参照して説明する。図７は、既存のバンド駒ブロック２（図中、二点鎖線表示のバンド駒ブロック）に隣接して、新たなバンド駒ブロック（図中、実線表示のバンド駒）を追加する方法を模式的に示す分解斜視図である。図１，２に示したように、既存のバンド駒ブロック２が存在する場合には、左側バンド駒３と右側バンド駒４の内側駒３ａ，４ａの外側側面に、内側軸受凹部３ｃ，４ｃが露出した状態となっている。
【００３１】
そこで図７に示すように、既存のバンド駒ブロック２の内側軸受凹部３ｃ，４ｃの位置に軸受部材５，６を配置し、新たな左側バンド駒３、右側バンド駒４で既存のバンド駒ブロック２の内側駒３ａ，４ａを挟み込む。このとき、新たな左側バンド駒３、右側バンド駒４に設けられている外側軸受凹部３ｄ，４ｄが、既存のバンド駒ブロック２における内側軸受凹部３ｃ，４ｃに対向し、既存の内側軸受凹部３ｃ，４ｃと新たな外側軸受凹部３ｄ，４ｄで軸受部材５，６を挟持する（図３及び図８参照）。この状態では、左側バンド駒３と右側バンド駒４の向きは図８に示すように異なっており、互いに自由に移動および回転が可能である。
【００３２】
軸受部材５，６は、略球形状の部材であり、その直径は内側軸受凹部３ｃ，４ｃおよび外側軸受凹部３ｄ，４ｄに対応している。なお、軸受部材５，６の形状を表す略球形状とは、軸受部材５，６の全体が真円形状又は曲面から成る形状を指すものとする。軸受部材５，６のサイズは、内側駒３ａ，４ａが外側駒３ｂ，４ｂと長さ方向にずれている領域内に収容される程度であり、バンド駒ブロック２の幅方向に対して十分に小さい。軸受部材５，６は、内側軸受凹部３ｃ，４ｃおよび外側軸受凹部３ｄ，４ｄに回動可能に挟持されるため、左側バンド駒３と右側バンド駒４を構成する材料との点接触で摩耗し難い材料が好ましい。特に、腕時計バンド１の外部から軸受部材５，６及び軸受凹部３ｃ，４ｃ，３ｄ，４ｄを視認し難くするためには、軸受部材５，６自体も透光性材料で構成することが好ましく、左側バンド駒３と右側バンド駒４を構成する材料と屈折率が近似した材料を用いることがさらに好ましい。最も好ましい軸受部材５，６の材料は、左側バンド駒３と右側バンド駒４を構成する材料と同一の材料であり、摩耗による粉末の発生を抑制し、外部から軸受部材５，６を最も視認し難くすることができる。或いは、左側バンド駒３と右側バンド駒４と軸受部材５，６は、モース硬度が同じか、最も近い材料同士とする事が、互いの摩耗抑制の点で好ましい。
【００３３】
図８は、左側バンド駒３と右側バンド駒４を連結して新たなバンド駒ブロック（図中、実線表示のバンド駒）を構成する方法を模式的に示す斜視図である。図９は、溝３ｅ１，４ｅ１と係止片４ｅ２，３ｅ２が嵌合されて新たなバンド駒ブロック２（図中、実線表示のバンド駒ブロック）が形成された状態を模式的に示す斜視図である。図９は、溝３ｅ１，４ｅ１と係止片４ｅ２，３ｅ２の嵌合を模式的に示す断面図であり、図９（ａ）は嵌合前を示し、図９（ｂ）は嵌合後を示している。
【００３４】
既存のバンド駒ブロック２の内側軸受凹部３ｃと、新たな左側バンド駒３の外側軸受凹部３ｄで、軸受部材５を挟持した状態では、左側バンド駒３は軸受部材５をピボット軸受として回動させることができる。同様に、既存のバンド駒ブロック２の内側軸受凹部４ｃと、新たな右側バンド駒４の外側軸受凹部４ｄで、軸受部材６を挟持した状態では、右側バンド駒４は軸受部材６をピボット軸受として回動させることができる。
【００３５】
その状態で、左側バンド駒３又は右側バンド駒４のどちらか一方あるいは両方を回転させながら、係止片３ｅ２を溝４ｅ１に嵌め込むと共に、係止片４ｅ２も溝３ｅ１に嵌め込むことで、左側バンド駒３の内側駒３ａと右側バンド駒４の内側駒４ａを嵌め合わせて固定する。図８と図１０では、左側バンド駒３を固定し、右側バンド駒４のみを図中の矢印方向に回転させて固定する状態を一例として示している。このとき、溝３ｅ１，４ｅ１と係止片３ｅ２，４ｅ２に接着剤を塗布、固定しておき、両者の連結を確実にするとしてもよい。
【００３６】
図９，１０に示したように、内側駒３ａ、４ａ同士が連結して固定されることで、腕時計バンド１の長さ方向と直交する幅方向に左側バンド駒３及び右側バンド駒４が並んで、新たなバンド駒ブロック２が構成される。また、引っ張り荷重が外部から加わった時にも、内側駒３ａ、４ａ同士がバンド駒ブロック２の幅方向に分離する事態も防止出来る。なお、内側駒３ａ、４ａ同士の固定構造は、溝３ｅ１，４ｅ１と係止片４ｅ２，３ｅ２の嵌め合わせ以外でもよく、例えば突起とその突起と嵌め合わせるための穴等の組み合わせでも良い。機能的には、内側駒３ａ、４ａが固定され、バンド駒ブロック２の幅方向に引っ張り荷重が加わった時に、分離する事態が防止可能な構造であれば特に限定されない。
【００３７】
図７〜１０に示したように、既存のバンド駒ブロック２に隣接して新たなバンド駒ブロック２が追加されて腕時計バンド１の長さが延長される。既存のバンド駒ブロック２の内側軸受凹部３ｃ，４ｃと新たなバンド駒ブロック２の外側軸受凹部３ｄ，４ｄで軸受部材５，６を回動可能に挟持し、内側駒３ａ，４ａが連結されているため、新たなバンド駒ブロック２は既存のバンド駒ブロック２に対して、軸受部材５，６のピボット軸受により回動可能となる。
【００３８】
本実施形態の腕時計バンド１では、既存の内側軸受凹部３ｃ，４ｃと新たな外側軸受凹部３ｄ，４ｄで軸受部材５，６を挟持する事で、図１及び図２に示すように軸受部材５，６のサイズをバンド駒ブロック２の幅方向と比較して十分に小さく形成する事が可能となる。同様に、内側軸受凹部３ｃ，４ｃと外側軸受凹部３ｄ，４ｄのサイズも、バンド駒ブロック２の幅方向と比較して十分に小さく形成する事が出来る。したがって、バンド駒ブロック２を透光性材料で構成しても、内部の軸受部材５，６及び軸受凹部３ｃ，４ｃ，３ｄ，４ｄは外部から視認されにくく、腕時計バンド１の意匠性と外観の見栄えを向上させることが可能となる。また、前記３ｃ，４ｃ、３ｄ，４ｄのサイズをバンド駒ブロック２の幅方向に対して小さく形成出来るので、バンド駒ブロック２の強度の低下を抑制する事も出来る。更に、軸受部材５，６の挟持部分が外部に露出していないため、挟持部分が外風や水滴に晒されず、挿入部分の経年劣化を防止することが可能となる。
【００３９】
また、腕時計バンド１の幅方向に対して、軸受部材５，６のサイズが十分に小さいので、バンド駒ブロック２を透光性材料で構成しても外部から軸受部材５，６及び軸受凹部３ｃ，４ｃ，３ｄ，４ｄを視認し難くする事が出来る。特に、軸受部材５，６が略球形状であると共に、軸受凹部３ｃ，４ｃ，３ｄ，４ｄが略半球状である事から、バンド駒ブロック２同時の連結部分に角部分が存在せず、光の反射や屈折に異方性が生じないため、より一層外部から軸受部材５，６及び軸受凹部３ｃ，４ｃ，３ｄ，４ｄが視認されにくくなり、視認できたとしても違和感を低減できるため、意匠性が向上する。
【００４０】
更に、左側バンド駒３、右側バンド駒４、及び軸受部材５，６を透光性材料で形成する事により、軸受凹部３ｃ，４ｃ，３ｄ，４ｄを腕時計バンド１の外部から視認し難くして、意匠性を向上させる事が出来る。従って、図１７及び図１８に示す連結ピン101を使用した従来の腕時計バンドに比べて、軸受部材５，６のサイズをバンド駒ブロック２の幅方向に対して十分に小さく形成する事が可能となり、外観上の意匠性向上の差を大きく出来る。
【００４１】
また、内側軸受凹部３ｃ，４ｃと外側軸受凹部３ｄ，４ｄは略半球状であるから角部分が存在せず、凹形状の内部を鏡面研磨するための加工難易度を低減することができる。
【００４２】
また、バンド駒ブロック２を一対の左側バンド駒３と右側バンド駒４で構成して、それぞれの内側駒３ａ，４ａで連結することで、図７〜図１０に示したような方法で軸受部材５，６を挟持してピボット軸受構造を実現できる。これにより、バンド駒ブロック２を構成する材料を選択する際の自由度が向上し、柔軟性や可撓性を有しない材料を用いることが可能となる。
【００４３】
また、軸受部材５，６を略球形状に成形すると共に、軸受凹部３ｃ，４ｃ，３ｄ，４ｄを略半球状に成形する事で、軸受部材５，６と軸受凹部３ｃ，４ｃ，３ｄ，４ｄとの接触が点接触に限定される。従って、バンド駒（内側駒３ａ、４ａと外側駒３ｂ、４ｂ）と軸受部材５，６との摺動による摩擦が抑制され、互いの摩耗による粉末の発生も抑制可能となり、腕時計バンド１の汚れも抑制出来る。
【００４４】
更に、バンド駒以外の腕時計バンド１の構成部品を、軸受部材５，６のみに抑えているので、部品点数と製造工程の削減が可能となり、腕時計バンド１と腕時計の低コスト化も図ることが出来る。また、部品点数の削減に伴い、部品どうしの固定箇所も削減可能となり、経年劣化を招くおそれも減少出来て、例えば腕時計バンド１が腕から離脱するおそれも減少されるため、腕時計バンド１全体の信頼性向上を図ることが出来る。
【００４５】
なお、軸受部材５，６をバンド駒と異なる透光性材料で作製する事により、バンド駒に対する軸受部材５，６の色を強調して、腕時計バンド１の意匠性を向上させる事も可能である。
【００４６】
また、内側駒３ａ，４ａと外側駒３ｂ，４ｂを個別に作製し、３ａと３ｂ及び／又は４ａと４ｂとを接着剤や常温接合、又は金属膜による半田固定等で固定して、一体化してバンド駒（３及び／又は４）を形成しても良い。金属膜による半田固定等で固定する場合、内側駒３ａ，４ａと外側駒３ｂ，４ｂを個別に作製後に洗浄し、洗浄後にMo-Mnペースト状インクを用いてMo-Mn層を焼き付け処理により形成し、更にNi-Au金属膜を蒸着により約0.1ｍｍ程度形成する。又は前記洗浄後に蒸着によりCr-Ni-Au金属膜を成膜する。次に金属膜部分に低融点の0.1ｍｍ厚の箔状金−スズ（Au80％−Sn20％）半田材を挟み合わせ、還元雰囲気または大気中で電熱ヒーターにより約280℃〜350℃で加熱し、金−スズ半田材を溶融して、半田固定を行う。しかしながら、前記の通り内側駒３ａ、４ａと外側駒３ｂ、４ｂをそれぞれ一体成形により一体化して、左側バンド駒３と右側バンド駒４を形成することが最も望ましい。
【００４７】
なお溝３ｅ１，４ｅ１と係止片３ｅ２，４ｅ２とは、前記接着剤だけで無く、前記常温接合、又は前記金属膜による半田固定等で固定しても良い。
【００４８】
（第２実施形態）
【００４９】
次に本発明の第２実施形態について図面を参照して詳細に説明する。第１実施形態と同一または同等の構成要素、部材、処理には、同一の符号を付すものとし、適宜重複した説明は省略する。
【００５０】
第１実施形態では、左側バンド駒３と右側バンド駒４とを同一の材料で構成し、内側駒３ａ，４ａと外側駒３ｂ，４ｂの表面処理も同一とした例を示した。本実施形態では、これらの各部において材料を異ならせることや、表面処理を異ならせることで質感や意匠性を付与する。図１１〜図１３は、本実施形態の左側バンド駒３と右側バンド駒４の例を模式的に示す平面図である。図１１又は図１２は、左側バンド駒３と右側バンド駒４で材料または表面処理を異ならせた場合の腕時計バンドを示す。図１３は、左側バンド駒３の内側駒３aと右側バンド駒４の外側駒４ｂの材料または表面処理が各々のバンド駒ブロック２で同一であると共に、各々のバンド駒ブロック２で左側バンド駒３の外側駒３ｂおよび右側バンド駒４の内側駒４aが、左側バンド駒３の内側駒３aと材料または表面処理が異なっている場合の腕時計バンドを示す。図１１〜図１３では３つのバンド駒ブロック２を連結した状態を示しているが、連結するバンド駒ブロック２の個数は限定されない。
【００５１】
図１１に示した例では、複数のバンド駒ブロック２において、左側バンド駒３と右側バンド駒４をそれぞれ異なる材料または表面処理を用いている。図１１では、材料または表面処理の違いをハッチングの有無で図示している。図１１に示した例では、軸受部材５と６は、左側バンド駒３又は右側バンド駒４の材料に応じて、別々に選定可能である。
【００５２】
図１２に示した例では、複数のバンド駒ブロック２において、左側バンド駒３と右側バンド駒４を交互に異なる材料または表面処理として配置している。やはり図１２でも、材料または表面処理の違いをハッチングの有無で図示している。図１２に示した例でも、軸受部材５と６は、左側バンド駒３又は右側バンド駒４の材料に応じて、別々に選定可能である。
【００５３】
図１３でも、材料または表面処理の違いをハッチングの有無で図示している。なお図１３から分かる通り、内側駒３ａと外側駒３ｂの互いの材料が異なる場合が挙げられる。同様に、内側駒４ａと外側駒４ｂの互いの材料が異なる場合が挙げられる。従って、内側駒３ａと外側駒３ｂ、内側駒４ａと外側駒４ｂは、一体成形では無く互いに異なる材料で個別に製造され、その上で内側駒３ａと外側駒３ｂが接着剤による接着、常温接合、又は金属膜による半田固定等で一体化されていても良い。同様に、内側駒４ａと外側駒４ｂが接着剤による接着、常温接合、又は金属膜による半田固定等で一体化されていても良い。図１３に示した例でも、軸受部材５と６は、左側バンド駒３又は右側バンド駒４の材料に応じて、別々に選定可能である。
【００５４】
表面処理方法としては、鏡面加工以外にカット加工が挙げられる。
【００５５】
図１１〜図１３の腕時計バンドの形態とする事により、表面仕上げや材質の違いを腕時計バンドに付与する事が可能となり、腕時計バンドの外観に新たな装飾性を付与することが出来る。
【００５６】
左側バンド駒３又は右側バンド駒４の材料および表面処理の組み合わせは、腕時計バンドのデザイン上、任意に様々な組み合わせとすれば良い。このように材料または表面処理を選択することにより、左側バンド駒３と右側バンド駒４に、任意に様々な色彩や質感を付与することが可能となり、腕時計バンドの質感と装飾性をより向上させることが可能となる。
【００５７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５８】
なお、内側軸受凹部３ｃ，４ｃ及び外側軸受凹部３ｄ，４ｄは、曲面のみで成形されていても良いし、図１４に示すように円錐状に形成されると共に頂角部をＲ加工の曲面に成形された形状としても良い。或いは図１５に示すように断面が台形であり、各角部がＲ加工の曲面に成形された形状としても良い。前記のような半球形状の軸受凹部に加えて、このように凹部の少なくとも一部に曲面やＲ加工部分を有する形状も、本発明では略半球形状の凹部とする。
【００５９】
また左側バンド駒３と右側バンド駒４の内側駒同士３ａ，４ａは、図１６に示すように溝３ｅ１，４ｅ１及び係止片３ｅ２，４ｅ２が形成されていない、平坦面としたバンド駒に変更して成形されても良い。図１６に示す左側バンド駒３と右側バンド駒４の内側駒同士３ａ，４ａは、それぞれの平坦面３ａ１、４ａ１を接着剤、常温接合、又は前記金属膜による半田固定等で固定すれば良い。
【００６０】
なお、本発明に係る腕時計バンドは種々変更可能であり、例えば図１９に示す様な外形形状の腕時計バンドに変更可能である。図１９に於いて前記各実施形態と同一または同等の構成要素、部材、処理には、同一の符号を付すものとし、適宜重複した説明は省略する。図１９に示す腕時計バンド１１では、左側バンド駒１３と右側バンド駒１４とが一対に配置され、幅方向の略中央で接着固定されている。その一対の左側バンド駒１３と右側バンド駒１４で１つのバンド駒ブロック１２が構成されている。
【００６１】
図１９の腕時計バンド１１に於いて、仮想線Ｌ１及びＬ２のそれぞれ内側を内側駒１３ａ，１４ａ、外側を外側駒１３ｂ，１４ｂとする。左側バンド駒１３及び外側バンド駒１４共に、曲面から成る内側駒１３ａ，１４ａに対して、同じく曲面から成る外側駒１３ｂ，１４ｂが幅方向（図１９の横方向）に移動して配置されている。更にその移動配置されている部分も曲面で一体に成形される事で、内側駒１３ａ，１４ａと外側駒１３ｂ，１４ｂが一体成形されている。
【００６２】
更に、内側駒１３ａ，１４ａの外側面には内側軸受凹部１３ｃ，１４ｃが形成されており、外側駒１３ｂ，１４ｂの内側面には外側軸受凹部１３ｄ，１４ｄが形成されている。内側軸受凹部１３ｃ，１４ｃおよび外側軸受凹部１３ｄ，１４ｄは、内側駒１３ａ，１４ａの外側側面と外側駒１３ｂ，１４ｂの内側側面の一部を削って形成された非貫通の凹部であり、それぞれ同一直径の略半球状に形成されている。なお、内側軸受凹部１３ｃ，１４ｃおよび外側軸受凹部１３ｄ，１４ｄの各形状を表す略半球状とは、全体が真円の半球形状か、又は曲面が一部に形成された形状を指すものとする。
【００６３】
更に、内側駒１３ａ，１４ａに於ける内側軸受凹部１３ｃ，１４ｃの近傍、及び外側駒１３ｂ，１４ｂに於ける外側軸受凹部１３ｄ，１４ｄの近傍には、それぞれ部分的に平面状に成形されている。その平面部に内側軸受凹部１３ｃ，１４ｃ、外側軸受凹部１３ｄ，１４ｄが形成されている。従って、腕時計バンド１１が組み立てられる際は、内側駒１３ａの内側軸受凹部１３ｃ近傍の平面部と、外側駒１３ｂの外側軸受凹部１３ｄ近傍の平面部が、互いに密着する。よって、軸受部材５を堅固に挟持する事が可能となり、軸受部材５の逸脱とバンド駒どうしが分離する事態が防止出来る。同様に、内側軸受凹部１４ｃ近傍の平面部と、外側軸受凹部１４ｄ近傍の平面部が、互いに密着する為、軸受部材６を堅固に挟持する事が可能となり、軸受部材６の逸脱とバンド駒どうしが分離する事態が防止出来る。
【００６４】
なお、内側駒１３ａ，１４ａ同士が接する接触面は、接着剤、常温接合、又は前記金属膜による半田固定等で固定される。
【符号の説明】
【００６５】
１，１１…腕時計バンド
２，１２…バンド駒ブロック
３，１３…左側バンド駒
４，１４…右側バンド駒
３ａ，４ａ，１３ａ，１４ａ…内側駒
３ａ１、４ａ１…平坦面
３ｂ，４ｂ，１３ｂ，１４ｂ…外側駒
３ｃ，４ｃ，１３ｃ，１４ｃ…内側軸受凹部
３ｄ，４ｄ，１３ｄ，１４ｄ…外側軸受凹部
３ｅ１，４ｅ１…溝
３ｅ２，４ｅ２…係止片
５，６…軸受部材
１０…腕時計ケース
Ｌ１，Ｌ２…仮想線
【図１】
2019076431.tif 000003
【図２】
2019076431.tif 000004
【図３】
2019076431.tif 000005
【図４】
2019076431.tif 000006
【図５】
2019076431.tif 000007
【図６】
2019076431.tif 000008
【図７】
2019076431.tif 000009
【図８】
2019076431.tif 000010
【図９】
2019076431.tif 000011
【図１０】
2019076431.tif 000012
【図１１】
2019076431.tif 000013
【図１２】
2019076431.tif 000014
【図１３】
2019076431.tif 000015
【図１４】
2019076431.tif 000016
【図１５】
2019076431.tif 000017
【図１６】
2019076431.tif 000018
【図１７】
2019076431.tif 000019
【図１８】
2019076431.tif 000020
【図１９】
2019076431.tif 000021